(57)【要約】      （修正有）【課題】ＲＦＩＤインレイを有するカードが複数枚重なった束を、読み取り時の周波数特性のずれを軽減し、読み取り不良を改善する。【解決手段】カードを装着した際にカードが押し込まれる押し込み面（３−１）と、カードを支えるガイド面（３−３）を有し、前記ガイド面（３−３）は押し込み面と所定の角度で傾斜しているカードホルダ（３）に、複数のＲＦＩＤカード（１）を収容し、ＲＦＩＤリーダ（４）が複数のＲＦＩＤカード（１）を一括して読み取りを行う。又、遊戯装置に適用することで、複数枚のカードを組み合わせて、種々のカードデッキをセットしても、一括読み取りでき、遊戯内容の興味を向上する。【選択図】図３
2019049851.tif 000002
【特許請求の範囲】
【請求項１】
複数のＲＦＩＤカードを受け入れるカードホルダと、
前記複数のＲＦＩＤカードを読み取るリーダとを有し、
前記カードホルダは、
前記カードを装着した際にカードが押し込まれる押し込み面と、前記カードを支えるガイド面を有し、
前記ガイド面は押し込み面と所定の角度で傾斜していることを特徴とするＲＦＩＤカード読み取り装置。
【請求項２】
複数のＲＦＩＤカードを受け入れるカードホルダと、
前記複数のＲＦＩＤカードを読み取るリーダとを有し、
前記カードホルダは、
前記リーダのアンテナに対応した面と、
所定の角度で傾斜し、前記複数のＲＦＩＤカードをガイドするガイド面とを有することを
特徴とするＲＦＩＤカード読み取り装置。
【請求項３】
請求項１又は２において、
前記複数のＲＦＩＤカードは、同一の位置にインレイが配置されたことを
特徴とするＲＦＩＤカード読み取り装置。
【請求項４】
請求項３において、
前記複数のＲＦＩＤカードは、カード辺に沿って細長い前記インレイが配置されたことを
特徴とするＲＦＩＤカード読み取り装置。
【請求項５】
請求項４において、
前記ガイド面は、前記複数のカードのインレイが並列且つ前記アンテナ面の面方向にずれるよう、前記複数のＲＦＩＤカードをガイドするような傾きを有することを
特徴とするＲＦＩＤカード読み取り装置。
【請求項６】
請求項５において、
前記ガイド面は、前記複数のカードのインレイの各々が前記アンテナ面と等しい距離となるような傾きを持つことを
特徴とするＲＦＩＤカード読み取り装置。
【請求項７】
請求項５又は６において、
前記ガイド面は、前記アンテナ面に対し、３０度から４０度の傾きを持つことを
特徴とするＲＦＩＤカード読み取り装置。
【請求項８】
カードを装着した際にカードが押し込まれる押し込み面と、前記カードを支えるガイド面を有し、前記ガイド面は押し込み面と所定の角度で傾斜しているカードホルダに前記複数のＲＦＩＤカードを挿入し、
前記リーダが前記ガイド面でガイドされた前記複数のＲＦＩＤカードを読み取ることを
特徴とするＲＦＩＤカード読み取り方法。
【請求項９】
遊戯内容を表示する表示部と、
前記遊戯内容に対し操作入力を行う操作入力部と、
複数のＲＦＩＤカードを受け入れるカードホルダと、
前記カードホルダが受け入れた前記複数のＲＦＩＤカードを読み取るリーダと、
前記読み取り内容と前記操作入力に応じて、ゲーム処理を行い、遊戯結果を前記表示部に表示する処理部とを有し、
前記カードホルダは、
前記カードを装着した際にカードが押し込まれる押し込み面と、前記カードを支えるガイド面を有し、
前記ガイド面は押し込み面と所定の角度で傾斜していることを
特徴とする遊戯装置。
【発明の詳細な説明】
【技術分野】
【０００１】
本発明は、ＲＦＩＤインレイを有するカードの束を読み取るＲＦＩＤカード読み取り装置、ＲＦＩＤカード読み取り方法及びそれを用いた遊戯装置に関する。
【背景技術】
【０００２】
ＲＦＩＤ（Radio Frequency Identification）は、カードや書類の媒体のＩＤを非接触で読み取る。ＲＦＩＤは、無線を使用し、ＨＦ（High Frequency）帯又はＵＨＦ（Ultra High Frequency）帯の電波を使用する。
【０００３】
このようなＲＦＩＤ媒体では、媒体が重なると、無線通信が困難となる。即ち、ＲＦＩＤへの給電力が不足し、且つ周波数特性が変わり、読み取り／書き込みが困難となる。このため、媒体が重なっても一括して読み取り／書き込みできることが望まれる。
【０００４】
この方法として、例えば、特許文献１、２は、媒体上でのアンテナを含むインレイの回転位置を、媒体個々で変化させる方法を提案している。これらの方法は、回転位置、設置位置の各々異なるアンテナを含むインレイ媒体を複数設ける必要があり、ＲＦＩＤ媒体のコストが上昇し、好ましくない。
【０００５】
又、同一のアンテナ形状のタグを付した複数の媒体を一括読み取りする方法も提案されている。例えば、特許文献３は、複数のゲームカードにＲＦＩＤを設け、ゲーム機にカードの束を一括で読み取らせることを開示する。
【０００６】
更に、特許文献４は、同一パターンのアンテナを含むインレイタグが付された複数のファイルフォルダ等のタグの場所をずらすガイドを設ける技術を開示する。特許文献５は、カードの各々の端部に光学マークを設け、ゲ―ム機（遊戯装置）にカード束を横方向に挿入した後、横ずらし機構により機械的にカード端をずらし、カメラで一括読み取りする技術を開示する。
【先行技術文献】
【特許文献】
【０００７】
【特許文献１】特開２００１−３１９２０２号公報（図３、図４、図５）
【特許文献２】特開２００６−２８５７３３号公報（図２）
【特許文献３】特開２０１６−１０７０１８号公報（図１）
【特許文献４】特許第４５７９５３３号公報（図５、図６）
【特許文献５】特開２００７−１４３７９１号公報（図４）
【発明の概要】
【発明が解決しようとする課題】
【０００８】
しかしながら、特許文献４の技術では、ファイルフォルダの端部にタグを設け、ファイルフォルダを互いに一定間隔を開けて、平行に配置するため、１枚１枚挿入する手間がかかる。又、一定の間隔を空けるため、必要以上に場所をとる必要があった。
【０００９】
又、特許文献５の技術では、光学マークの読み取りため、確実に重ならないようにずらすための複雑な機構が必要であった。
【００１０】
本発明は、ＲＦＩＤインレイを有するカードが複数枚重なった束を、読み取り時の周波数特性のずれを軽減し、読み取り不良を改善することが可能なＲＦＩＤカード読み取り装置、ＲＦＩＤカード読み取り方法及び遊戯装置を提供することを目的とする。    
【課題を解決するための手段】
【００１１】
上記の目的を達成する本発明に従うＲＦＩＤ読み取り装置の一側面は、複数のＲＦＩＤカードを受け入れるカードホルダと、前記複数のＲＦＩＤカードを読み取るリーダとを有し、前記カードホルダは、前記カードを装着した際にカードが押し込まれる押し込み面と、前記カードを支えるガイド面を有し、前記ガイド面は押し込み面と所定の角度で傾斜している。
【００１２】
上記の目的を達成する本発明に従う遊戯装置は、遊戯内容を表示する表示部と、前記遊戯内容に対し操作入力を行う操作入力部と、複数のＲＦＩＤカードを受け入れるカードホルダと、前記カードホルダが受け入れた前記複数のＲＦＩＤカードを読み取るリーダと、前記読み取り内容と前記操作入力に応じて、ゲーム処理を行い、遊戯結果を前記表示部に表示する処理部とを有し、前記カードホルダは、前記カードを装着した際にカードが押し込まれる押し込み面と、前記カードを支えるガイド面を有し、前記ガイド面は押し込み面と所定の角度で傾斜している。
【発明の効果】
【００１３】
カードを装着した際にカードが押し込まれる押し込み面と、カードを支えるガイド面を有し、前記ガイド面は押し込み面と所定の角度で傾斜しているカードホルダに、複数のＲＦＩＤカードを収容したため、読み取り時の周波数特性のずれを防止することができる。又、一定間隔を開けて、平行に配置する必要がないため、１枚１枚挿入する手間がなくなり、必要以上に場所をとることも防止できる。更に、複雑な機構を要しないため、簡単な構成で実現できる。遊戯装置に適用することで、複数枚のカードを組み合わせて、種々のカードデッキをセットしても、一括読み取りでき、遊戯内容の興味を向上する。
【図面の簡単な説明】
【００１４】
【図１】本発明の一実施の形態のＲＦＩＤカ―ドの内部構成図である。
【図２】図２のＲＦＩＤカードの内部斜視図である。
【図３】本発明の一実施の形態のカードを装着したカード読み取り装置の横面図である。
【図４】図３のカードを装着したカードホルダの上面及びカード挿入方向の断面図である。
【図５】図３のカードホルダの断面図である。
【図６】図３のカードを装着したカード読み取り装置の斜視図である。
【図７】図３のカード読み取り装置の動作説明図である。
【図８】図７における傾斜角度の説明図である。
【図９】本発明の第２の実施の形態のカード読み取り装置の斜視図である。
【図１０】本発明の一実施の形態を使用した遊戯装置の外観斜視図である。
【図１１】図１０の遊戯装置の制御ブロック図である。
【発明を実施するための形態】
【００１５】
以下に図面に従い，本発明の実施の形態例を説明する。なお，実施の形態例は本発明の理解のためのものであり，本発明の技術的範囲がこれに限定されるものではない。
【００１６】
特に，以下実施例において、カード読み取り装置として、カードは、カード自体、書類、ファイルフォルダ等の平板状媒体に適用でき、これらもカードに含まれる。
【００１７】
（ＲＦＩＤカード）
図１は、一実施の形態のＲＦＩＤカ―ドの内部構成図である。図１（Ａ）は、その上面図、図１（Ｂ）は、その横面図、図１（Ｃ）は、その平面図である。図２は、図１のカードの斜視図である。
【００１８】
図１（Ａ）に示すように、カード１本体は、平板状の方形である。このカード１本体に、ＲＦＩＤ２が内設される。ＲＦＩＤ２は、無線タグ又はインレイと呼ばれる。ＲＦＩＤ２は、平板面に張り付けても良い。
【００１９】
ＲＦＩＤ２は、一対のアンテナ２−２，２−３と、ＩＣ（Integrated Circuit）チップ２−１とを有する。ＩＣチップ２−１は情報を記憶し、リード／ライト可能である。本実施例では、受動型（パッシブタイプ）のＲＦＩＤを示す。ＩＣチップ２−１は、各アンテナ２−２，２−３と接続する。
【００２０】
アンテナ２−２，２−３は、ダイポールアンテナを構成し、後述するリーダの電波による電磁誘導により、電力を受け、ＩＣチップ２−１を動作する。又、アンテナ２−２，２−３は、この動作により、リーダ及びライタからの指示でリードデータをリーダ及びライタに無線送信し、リーダ及びライタからのライトデータを無線受信し、ＩＣチップに書き込む。
【００２１】
この例では、ＲＦＩＤ２は、ＵＨＦタグであり、９２０ＭＨｚの無線を使用する。又、ＲＦＩＤ２は、マイクロ波帯のものでもよい。
【００２２】
図１（Ａ）、図１（Ｂ）、図２に示すように、この実施例では、アンテナ２−２，２−３を含めた細長いＲＦＩＤ２を用いる。即ち、ＲＦＩＤ２は、図１の縦に長く、横に細い。そして、ＲＦＩＤ２をカード１本体の長手方向に沿って設ける。この構成により、後述するように、カード２をずらした時に、カード１に設けたＲＦＩＤ２のずれ量を大きくできる。
【００２３】
又、図１（Ａ）、図１（Ｃ）及び図２に示すように、ＲＦＩＤ２を、カード本体１の短手方向でほぼ中央位置に設ける。これにより、カード１の方向によらず、ＲＦＩＤ２のカード１上の位置は一定である。カード１を束にして挿入する際に、ＲＦＩＤ２が視認できなくても、ＲＦＩＤ２の位置を気にせずに、カードデッキ（カード束）のＲＦＩＤ２の位置を均一にできる。
【００２４】
後述するように、本実施例では、カード１が、トレーディングカードゲームのトレーディングカードである。カード１の表面、裏面には、キャラクタや武器、攻撃力等が印刷され、ＩＣチップ２−１には、キャラクタの能力パラメータ、装備パラメータなどを記憶する。
【００２５】
（カード読み取り装置の第１の実施の形態）
図３は、本発明の一実施の形態のカードを装着したカード読み取り装置の横面図である。図４は、図３のカードを装着したカードホルダの正面及び上面図である。図４（Ａ）はその上面図、図４（Ｂ）は、そのカード挿入方向の断面図である。図５は、図３のカードホルダの断面図である。図６は、図３のカードを装着したカード読み取り装置の斜視図である。
【００２６】
図３に示すように、カードホルダ３に、複数のカード１が収容される。この実施例では、カード１が長手方向を下に、カードホルダ３（カードデッキともいう）に収容される。このカードホルダ３の下部に、ＲＦＩＤリーダ／ライタ（のアンテナ）４が設けられる。
【００２７】
図３では、ＲＦＩＤリーダ／ライタ４のアンテナ部分を示す。ＲＦＩＤリーダ／ライタ４は、読み取り及び書き込み可能であり、平板形状である。ＲＦＩＤリーダ／ライタ４は、一般的に平らな形状をなしている。平らな形状部分には一般的に線状のダイポールアンテナや、平面状のパッチアンテナ等が入っている。ダイポールアンテナでは、アンテナと平行に配置したＲＦＩＤを読むことができる。パッチアンテナの場合では、アンテナ面の垂直方向のＲＦＩＤを読み取ることができる。
【００２８】
一方、カードホルダ３は、図４（Ａ）、図５に示すように、底面部３−１と、前面斜面ガイド３−２と、後面傾斜ガイド３−３とを有する。更に、右側面３−４と、左側面３−５と、上部開口３−６とを有する。
【００２９】
図３及び図６に示すように、底面部（押し込み面）３−１は、リーダ／ライタ４の面に平行な面である。カード１の束の先端は、底面部３−１の内面に押し込まれ突き当たる。後面傾斜ガイド３−３は、底面部３−１、リーダ／ライタ４の面に対し、所定の角度で傾斜して形成される。
【００３０】
後面傾斜ガイド（ガイド面）３−３は、挿入されたカード束の背面を支持する。これにより、カード１の束は、底面部３−１で先端がずれた状態で、リーダ／ライタ４の面に対し、所定の角度で傾斜して、且つ自重で密着する。
【００３１】
前面傾斜ガイド３−２も、後面傾斜ガイド３−３と同様に、底面部３−１、リーダ４の面に対し、所定の角度で傾斜して形成される。前面傾斜ガイド３−２は、カード１を前面で支持する役目を果たす。
【００３２】
このため、前面傾斜ガイド３−２は、後面傾斜ガイド３−３のような傾斜を持つ必要は必ずしもない。勿論、前面傾斜ガイド３−２も、後面傾斜ガイド３−３と同様に、底面部３−１、リーダ４の面に対し、所定の角度で傾斜して形成することが望ましい。これにより、挿入されたカード１を押さえることができ、カード読み取り時のカ−ド束における一部カードの倒れを防止できる。
【００３３】
左側面３−５と右側面３−４とは、カード１の側面をガイド及び規制する。上部開口３−６は、カード１を、前面傾斜ガイド３−２と後面傾斜ガイド３−３と底面３−１と左側面３−５と右側面３−４とに囲まれた領域に収容するものである。
【００３４】
このように、前面傾斜ガイド３−２と後面傾斜ガイド３−３と底面３−１と左側面３−５と右側面３−４とにより、リーダ／ライタ４から見て斜めのスロット３−７が形成されている。
【００３５】
この構成により、図３及び図６に示すように、スロット３−７に挿入されたカード１の束の先端は、前面傾斜ガイド３−２と後面傾斜ガイド３−３とにガイドされ、底面３−１に突き当たる。このため、各カード１は、自重でその水平方向の位置がずらされる。  
【００３６】
これにより、リーダ／ライタ４の平面から見て、各カード１のＲＦＩＤ２の水平方向の位置は、自動的に互いにずれる。このため、リーダ／ライタ４は、各カード１のＲＦＩＤ２を周波数特性のずれなく（重なりによる読み取り不良なく）、リード及びライトできる。
【００３７】
この実施例では、ＲＦＩＤ２が、カードホルダ３の傾斜によるずれで重なりが解消されるように、細長い形状を有し、カード１の辺に沿って平行に設けられているので、ずれ量を大きくできる。
【００３８】
更に、斜めのスロット３−７により、特に、後面傾斜ガイド３−３により、カード１が密着して斜めに収容される。このため、リーダ／ライタ４の面から各カード１のＲＦＩＤ２までの距離が均一となる。
【００３９】
これにより、リーダ／ライタ４は、各カード１のＲＦＩＤ２を周波数特性のずれなく、リード及びライトできる。又、従来のように、周波数特性のずれを低減するための、各カード間で間隔をとる必要がない。
【００４０】
例えば、カード１を垂直に配置した場合、カード１を、間隔を開けて５０枚収容して読み取り可能である場合、カード１を密着して垂直に配置する（重ねる）と、５〜１０枚程度しか読み取りができない。このため、カード１を密着して斜めに収容することは、多数枚のカードの読み取り不良の低減に有効である。
【００４１】
しかも、カード１の自重で、カード１のＲＦＩＤ２の垂直方向の位置を、互いにずらすことができるため、複雑な機構なしに、実現できる。このカードホルダ３は、樹脂等の非金属素材で構成することによって、電波の阻害を防止できる。又、カードホルダ３は、カードホルダ３の中のカード１が視認できるように、透明又は半透明であることが望ましい。
【００４２】
更に、図３、図４（Ａ）に示すように、前面傾斜ガイド３−２、後面傾斜ガイド３−３、左側面３−５、右側面３−４の高さは、カード１の短手方向の長さより小さい。このため、カード１は、その高さ方向の先端において、露出する。
【００４３】
これにより、カードホルダ３からカード１を容易に取り出すことができる。又、カード１の挿入時も、カード１の先端を指で挟み、スロット３−７に容易に挿入できる。この露出部分は、カード１の短手方向の長さの１／４以下で、１／５以上が望ましい。
【００４４】
（カードホルダの動作）
図７は、図３のカード読み取り装置の動作説明図、図８は、図７における傾斜角度の説明図である。図７及び図８において、図１乃至図６で示したものと同一のものは、同一の記号で示してある。
【００４５】
図７に示すように、後面傾斜ガイド３−３は、底面３−１及びリーダ／ライタ４の面に対し角度θ斜めに傾いている。スロット３−７に挿入されたカード１の束の先端は、前面傾斜ガイド３−２と後面傾斜ガイド３−３とにガイドされ、底面３−１に突き当たる。このため、各カード１も、底面３−１及びリーダ／ライタ４の面に対し角度θ斜めに傾いている。
【００４６】
そして、この角度θによるずれ量が大きい程、ＲＦＩＤ２のアンテナの重なりが緩和されることで、隣接するＲＦＩＤ２のアンテナ間の容量結合等による周波数特性のずれが改善し、読み取りに有利となる。図８に示すように、θを傾き角度、Ｗをカード１の厚み、ｄｘをずれ幅とすると、ずれ幅ｄｘは、次式で表現される。
ｄｘ＝Ｗ／ｔａｎθ                                （１）
【００４７】
即ち、ずれ幅ｄｘは、傾き角θとカードの厚みＷに依存する。カードホルダ３を水平方向に倒す程（傾き角θを小さくする程）、ずれ幅が大きくなる。又、カード１が厚い程（カードの厚みＷが大きい程）、ずれ幅が大きくなる。更に、カード１をスリーブ等の保護袋に入れた場合、カードの厚みＷが大きくなり、ずれ幅も大きくなる。
【００４８】
一方、カードホルダ３の傾きを垂直方向に傾ける程、ずれ幅が小さくなる。垂直方向に傾けると、所望のずれ量が得られず、読み取り不良が発生し易い。この傾き角は、読み取り精度を考慮すると、傾き角θは、４５度以下が望ましい。
【００４９】
例えば、カードの厚みＷを０．５ｍｍ、傾き角θを３０度とした場合、ずれ幅ｄｘは、約０．９ｍｍとなる。インレイ２のアンテナ線幅を１ｍｍとした場合、ずれ幅ｄｘは約０．９ｍｍであるから、重なりをほぼ解消することができる。
【００５０】
この傾き角θは、利用者のカードの入れ易さ等の利便性も考慮する必要がある。このため、傾き角θは、３０〜４０度が適切である。
【００５１】
又、図７に示すように、斜めのスロットにより、カード１が密着して収容されるため、リーダ／ライタ（のアンテナ）４の面から各カード１のＲＦＩＤ２の下端Ｕまでの距離ｄが均一となる。これにより、リーダ／ライタ４は、カード１の枚数によらず、各カード１のＲＦＩＤ２を安定して、リード及びライトできる。
【００５２】
（カード読み取り装置の第２の実施の形態）
図９は、カード読み取り装置の第２の実施の形態の斜視図である。図９において、図１乃至図８で示したものと同一のものは、同一の記号で示してある。図９において、図１〜図４と異なる点は、カード１の短手方向に沿って、カード１の中央位置に、細長いＲＦＩＤ２を配置した点である。
【００５３】
図９に示すように、開口からカード１が長手方向を垂直方向にスロットに挿入される。スロットに挿入されたカード１の束の先端（短手方向）は、前面傾斜ガイド３−２と後面傾斜ガイド３−３とにガイドされ、底面３−１に突き当たる。このため、各カード１は、その水平方向の位置がずらされる。  
【００５４】
これにより、リーダ／ライタ４の平面（アンテナ面）から見て、各カード１のＲＦＩＤ２の垂直方向の位置は、自動的に互いにずれる。このため、リーダ／ライタ４は、各カード１のＲＦＩＤ２を周波数特性のずれなく（重なりによる読み取り不良なく）、リード及びライトできる。
【００５５】
このように、カード１のＲＦＩＤ２を同一の位置に配置する場合、カード１の短手方向に沿って、細長いＲＦＩＤ２を配置しても、カード１のＲＦＩＤ２の重なりによる読み取り不良を防止できる。
【００５６】
（遊戯装置）
図１０は、本実施例のカード読み取り装置を使用した遊戯装置の実施の形態の斜視図である。図１１は、図１０の遊戯装置のブロック図である。図１０、図１１において、図１乃至図８で示したものと同一のものは、同一の記号で示してある。
【００５７】
図１０は、ＲＦＩＤカード１を用いたトレーディングカードゲーム装置１０を示す。例えば、戦闘ゲームでは、カード１の各々に、戦闘するキャラクタ、１つ又は複数の武器、防具などが、書き込まれたカードを用いる。このキャラクタカード、武器カード、防具カードを種々組み合わせて、カードの束（デッキ）とし、遊戯装置１０に読み込ませることで、戦闘キャラクタを設定する。
【００５８】
同様に、複数のキャラクタを設定することもでき、複数の各々のキャラクタのキャラクタカード、武器カード、防具カードを種々組み合わせて、複数の戦闘キャラクタを設定する。このような場合、カードデッキのカード数は５０枚程度になる場合がある。
【００５９】
図１０に示すように、遊戯装置１０は、直立したモニタ（表示パネル）３４と、それに続く、水平の操作面２４とを有する。操作面２４は、筐体（本体）２２に支持されている。操作面２４には、カード読み取り装置（カードリーダという）３、４と操作ボタン２６とが設けられている。操作面２４の下部の筐体２２の前面には、料金受入部３０と、カード払出口３２とが設けられている。
【００６０】
モニタ３４は、液晶ディスプレイ、有機ＥＬディスプレイ等の周知の表示パネルを使用できる。モニタ３４は、ゲームの進行状況に伴いゲーム内容を表示する。操作面２４の上部には、スピーカ２８が設けられる。スピーカ２８は、ゲーム内容に伴う効果音を奏でる。
【００６１】
操作面２４の中央表面には、装置の奥に向かって斜めに傾斜した前面ガイド４０、前述のカードホルダ３、後面ガイド４２が設けられている。カードホルダ３は、前述のように、図示しないリーダ／ライタ４のアンテナ面に対し傾いて設けられている。
【００６２】
ここでは、操作面の奥方向に向かい傾いている。利用者は、このカードホルダ３にカード１の束（カードデッキ）を挿入する。これにより、カード１の束は、カードが互いに水平方向にずれた位置で、カードホルダ３に収容される。
【００６３】
このため、前述の説明の如く、リーダ／ライタ４の平面（アンテナ面）から見て、各カード１のＲＦＩＤ２の垂直方向の位置は、自動的に互いにずれる。このため、リーダ／ライタ４は、各カード１のＲＦＩＤ２を周波数特性のずれなく（重なりによる読み取り不良なく）、一括してリード及びライトできる。
【００６４】
又、前面ガイド４０、後面ガイド４２も傾斜しており、カード１の束をカードホルダ３にスムーズに挿入及び取り出しできる。勿論、前面ガイド４０、前述のカードホルダ３、後面ガイド４２を手前に向かって斜めに配置しても良い。
【００６５】
操作面２４の左右両側には、操作ボタン２６が設けられている。操作ボタン２６は、モニタ３４に表示されるキャラクタが移動したり、武器を使用したりする操作を指示するものである。操作面２４の左右両側に、操作ボタン２６を設けることにより、両手で操作できる。
【００６６】
料金受入部（図では、受入口を示す）３０は、コインを受け入れ、ゲーム料金を徴収する。料金受入部３０は、電子マネーカード等の電子マネーを読み取る装置であっても良い。
【００６７】
カード払出口３２は、ゲーム結果に応じて、ＲＦＩＤを付したカードを払い出すものである。ゲーム結果に応じて、新しいカードが払い出されることにより、ゲームに対する興味を増すことができる。
【００６８】
次に、図１１に示すように、図１０の筐体２２内に設けられた制御装置は、処理装置５０と、操作部５２と、出力装置５４と、印刷装置５６と、通信装置５８とを備える。
【００６９】
処理装置５０は、ＣＰＵ（Central Processing Unit）６０と、記憶装置（メモリ）６２とを有する。ＣＰＵ６０は、カード１の情報を取得し、且つ操作部５２からキャラクタの選択を受け、ゲームを実行する処理を行う。そして、ＣＰＵ６０は、ゲーム終了によりゲーム情報を更新し、カード１にリーダ／ライタを介しＲＦＩＤカード２を介してＩＣチップ２−１に更新情報を書き込む。
【００７０】
更に、ＣＰＵ６０は、ゲーム結果に応じたキャラクタテキストや画像を生成し、印刷装置５６に送る。印刷装置５６は、ＲＦＩＤ２を付したカード１に生成画像を印刷し、カード払出口３２から利用者に印刷したカードを払い出す。
【００７１】
記憶装置６２は、ゲーム画像と、印刷するキャラクタテキストや画像を記憶する。操作部５２は、前述の操作ボタン２６、カードホルダ３と、カードリーダ４と、コイン検出機３０Ａを含む料金受入部３０とを有する。
【００７２】
出力装置５４は、前述のモニタ３４で構成される。処理装置５０のＣＰＵ６０は、操作部５２と出力装置５４と印刷装置５６と接続し、操作部５２からの操作に従うゲーム内容に応じたゲーム表示処理及びカード払出処理を行う。
【００７３】
ゲーム内容は任意であるが、例えば、本実施例では、予め準備された複数（例えば、５０人）のキャラクタから選択される所定数（例えば、３人）の遊戯者側のキャラクタと、所定数（例えば、３人）のゲーム機（コンピュータ）側のキャラクタの間で戦闘ゲームが行われる。
【００７４】
遊戯者側のキャラクタは、カードリーダ（カード１及びリーダ／ライタ４）が取得したカード１の識別情報で特定されるキャラクタ及び操作ボタン２６で選択されたキャラクタの両方又は一方で構成される。そして、モニタ３４上のコンピュータ側のキャラクタの動作に応じて、操作ボタン２６で遊戯者側のキャラクタを操作することにより、戦闘ゲームが進行する。
【００７５】
このような場合、遊戯者側のキャラクタを設定するカード１の束（カードデッキ）を、カード１の枚数が５０枚程度でも、一括して読み取りできる。このため、遊戯者は種々の組み合わせのキャラクタ、武器等を持つカードデッキを作成でき、ゲームの興味を向上する。
【００７６】
又、多数枚のカードを一括読み取りできるため、読み取り速度が向上し、遊戯者にストレスを与えずに、遊戯者に種々の組み合わせのカードデッキを作成させることが可能となる。
【００７７】
尚、通信装置５８は、他の遊戯装置と接続し、他の遊戯装置の遊戯者と自遊戯装置１０の遊戯者と対戦ゲームを行うために使用される。又、通信装置５８は、センターのホストシステムと接続し、ホストシステムが遊戯装置１０を使用する複数の遊戯者のゲーム結果を集計、表示する。
【００７８】
（他の実施の形態）
前述の説明では、カード１をカード形状の媒体で説明したが、書類、ファイルフォルダ等の平板状媒体に適用できる。ＲＦＩＤ２を、カードの辺に平行に設けたが、若干斜めとしても良い。
【００７９】
又、ＲＦＩＤ２を、カードの辺に平行に中央位置に設けたが、中央位置からずれた位置であっても良い。
【００８０】
リーダ／ライタ４は、リーダアンテナ部分を示したが、リーダのみのアンテナも同様の構成である。又、図３の実施例において、底面３−１を平面で構成したが、階段形状であっても良い。底面３−１はアンテナ面と平行である必要は必ずしもないが、カードデッキが当接する底面（押し込み面）３−１がカードデッキを支える後方傾斜ガイド（ガイド面）が所定の角度で傾斜していればよい。
【００８１】
又、図３の実施例ではリーダアンテナ面とカードホルダ底面を密着配置に設けたが、これは読み取り効率の良い一例であり、リーダアンテナ面は、ＲＦＩＤ２を読み取る事の出来る範囲のどこに配置してもよい。上記実施例では、カードホルダの底面にリーダアンテナ面を設けたが、天井側に設けてもよい。またカードデッキを料金受入部と同じ面や表示パネル３４の下側の面等、縦面からカードホルダー装着する設計ではリーダアンテナは適宜、適切な位置に設ける。
【００８２】
更に、前述の通りリーダアンテナにダイポールアンテナを使用し、アンテナは面でなく線状又は棒状となっても良い。
【００８３】
更に、遊戯装置は、戦闘ゲームに限らず、他のゲームであっても良い。又、カードリーダ３，４の位置は、遊戯装置の中央に限らず、他の場所であっても良く、傾斜方向の操作面の手前、奥方向に限らず、右又は左方向であっても良い。
【産業上の利用可能性】
【００８４】
カードを装着した際にカードが押し込まれる押し込み面と、カードを支えるガイド面を有し、前記ガイド面は押し込み面と所定の角度で傾斜しているカードホルダに、複数のＲＦＩＤカードを収容したため、読み取り時の周波数特性のずれを防止することができる。又、一定間隔を開けて、平行に配置する必要がないため、１枚１枚挿入する手間がなくなり、必要以上に場所をとることも防止できる。更に、複雑な機構を要しないため、簡単な構成で実現できる。
【符号の説明】
【００８５】
１  カード
２  ＲＦＩＤ
２−１  ＩＣチップ
２−２，２−３  アンテナ
３  カードホルダ
３−１  底面
３−２  前面傾斜ガイド
３−３  後面傾斜ガイド
３−４  右側面
３−５  左側面
３−６  開口
３−７  スロット
４  リーダ（アンテナ）
１０  遊戯装置
２２  筐体
２４  操作面
２６  操作ボタン
２８  スピーカ
３０  料金受入部（コイン投入口）
３２  カード払出口
３４  モニタ（表示パネル）
４０  前面ガイド
４２  後面ガイド
５０  処理装置
５２  操作部
５４  出力装置
５６  印刷装置
５８  通信装置
６０  ＣＰＵ
６２  記憶装置
【図１】
2019049851.tif 000003
【図２】
2019049851.tif 000004
【図３】
2019049851.tif 000005
【図４】
2019049851.tif 000006
【図５】
2019049851.tif 000007
【図６】
2019049851.tif 000008
【図７】
2019049851.tif 000009
【図８】
2019049851.tif 000010
【図９】
2019049851.tif 000011
【図１０】
2019049851.tif 000012
【図１１】
2019049851.tif 000013